(57)【要約】【課題】認証登録済みの加入者側端末装置に対して通信切断後の復旧処理を短時間で行うことが可能なＧＥ−ＰＯＮシステムを提供する。  【解決手段】本実施形態のＧＥ−ＰＯＮシステムでは、ディスカバリ窓１０の前半部分に量子化窓２０を設け、後半部分にフリーディスカバリ窓３０を設けている。量子化窓２０は、複数の識別スロット２１に分割されている。ＯＮＵ１２０を新規に認証登録するときは、フリーディスカバリ窓３０を用いてＭＰＣＰ処理を行った後、未使用の識別スロット２１を割り付ける。一方、通信切断後の復旧処理では、認証登録済みであったＯＮＵ１２０は、ＧＡＴＥ信号５１を受信すると当該ＯＮＵ１２０に割り付けられている識別スロット２１に登録要求信号５２を返送する。【選択図】図１
2016046704.tif 000002
【特許請求の範囲】
【請求項１】
局舎側装置と複数の加入者側端末装置とが分岐部を介して光ファイバで接続されたＧＥ−ＰＯＮシステムであって、
前記局舎側装置は、
所定個数の識別スロットに区分けされた量子化窓とフリーディスカバリ窓とを有して前記加入者側端末装置を認証登録するのに用いるディスカバリ窓を管理するディスカバリ窓管理部と、
前記加入者側端末装置を認証登録するためのＭＰＣＰ処理を行って前記加入者側端末装置の識別番号を設定するＭＰＣＰ処理部と、
前記ＭＰＣＰ処理によって認証登録された前記加入者側端末装置に前記識別スロットのいずれか１つを割り付け、前記識別スロットのスロット番号に少なくとも前記識別番号を対応付けした識別スロット情報を作成するスロット情報設定部と、
復旧後に前記識別スロットに登録要求信号が返送されているかを確認し、前記登録要求信号が返送されている前記識別スロットに対応する前記加入者側端末装置を再び認証登録する加入者側端末装置復旧部と、
前記識別スロット情報を記憶する局舎側装置側記憶部と、を備え、
前記加入者側端末装置は、
前記ＭＰＣＰ処理部との間で前記ＭＰＣＰ処理を行って前記ＭＰＣＰ処理部から前記識別番号を受信するリンク処理部と、
加入者側端末装置側記憶部と、
前記局舎側装置から送信されたＯＡＭフレームから前記スロット情報を読み出して前記加入者側端末装置側記憶部に記憶させるＯＡＭ処理部と、
復旧処理を行うときに前記加入者側端末装置側記憶部から前記識別スロット情報を読み出して前記リンク処理部に復旧時遅延時間を出力する復旧処理部と、を備え、
前記局舎側装置が新規に前記加入者側端末装置を認証登録するときは、
前記ＭＰＣＰ処理部がＧＡＴＥ信号を送信して前記新規の加入者側端末装置の前記リンク処理部から前記フリーディスカバリ窓に返送された登録要求信号をもとにＭＰＣＰ処理を行って前記識別番号を付与し、前記スロット情報設定部が別の前記加入者側端末装置に割り付けられていない前記識別スロットを前記新規の加入者側端末装置に割り付けて前記識別スロット情報を前記局舎側装置側記憶部に保存するとともに前記ＯＡＭフレームに前記スロット情報を設定して前記新規の加入者側端末装置に送信し、
前記ＧＥ−ＰＯＮシステムの復旧処理を行うときは、
前記復旧処理部が復旧処理中に前記ＭＰＣＰ処理部から最初に送信される前記ＧＡＴＥ信号を受信すると前記リンク処理部に前記復旧時遅延時間を出力し、前記リンク処理部が前記復旧時遅延時間に従って前記識別スロットに前記登録要求信号を返送し、前記加入者側端末装置復旧部が前記識別スロットに前記登録要求信号を返送した前記加入者側端末装置に対して前記識別スロット情報を用いて再び認証登録する
ことを特徴とするＧＥ−ＰＯＮシステム。
【請求項２】
前記ＭＰＣＰ処理部は、前記加入者側端末装置に複数の識別番号を設定し、
前記スロット情報設定部は、前記識別番号毎に前記識別スロットのスロット番号を対応付ける
ことを特徴とする請求項１に記載のＧＥ−ＰＯＮシステム。
【請求項３】
前記スロット情報設定部は、前記復旧時遅延時間を前記加入者側端末装置までの距離情報を用いて算出し、算出した前記復旧時遅延時間を前記識別スロット情報に含めている
ことを特徴とする請求項１または２に記載のＧＥ−ＰＯＮシステム。
【請求項４】
前記最初のＧＡＴＥ信号を受信した前記加入者側端末装置が前記識別スロット情報を保存していないとき、
前記リンク処理部は、前記登録要求信号を前記フリーディスカバリ窓に返送する
ことを特徴とする請求項１または２に記載のＧＥ−ＰＯＮシステム。
【請求項５】
前記スロット番号は前記量子化窓の先頭の前記識別スロットから順に付されており、
前記スロット情報設定部は、前記加入者側端末装置までの距離が短い順に前記識別スロットを割り付ける
ことを特徴とする請求項１または２に記載のＧＥ−ＰＯＮシステム。
【請求項６】
前記ディスカバリ窓管理部は、前記局舎側装置に接続可能な最大数の前記加入者側端末装置が認証登録されてそれぞれに前記識別スロットが割り付けられると、前記フリーディスカバリ窓を削除する
ことを特徴とする請求項１または２に記載のＧＥ−ＰＯＮシステム。
【請求項７】
前記局舎側装置は、
認証登録したすべての前記加入者側端末装置の少なくとも前記識別番号を記載した登録管理用テーブルを作成し、所定の条件が成立するときに前記登録管理用テーブルを全ての前記加入者端末装置に送信する登録管理用テーブル管理部をさらに備え、
前記加入者端末装置は、
前記登録管理用テーブルを受信すると保存する前記識別番号と前記登録管理用テーブルに記載された前記識別番号とを比較し、保存する前記識別番号が前記登録管理用テーブルに記載された前記識別番号のいずれかと一致するときは前記登録要求信号を前記割り付けられた識別スロットに返送し、保存する前記識別番号が前記登録管理用テーブルのいずれの前記識別番号とも一致しないときは前記登録要求信号を前記フリーディスカバリ窓に返送する登録管理用テーブルチェック部をさらに備える
ことを特徴とする請求項１または２に記載のＧＥ−ＰＯＮシステム。
【請求項８】
前記所定の条件は、前記ＧＥ−ＰＯＮシステムの復旧処理を行うときである
ことを特徴とする請求項７に記載のＧＥ−ＰＯＮシステム。
【請求項９】
前記所定の条件は、所定の周期並びに前記局舎側装置に前記登録管理用テーブルの更新時に達したときである
ことを特徴とする請求項７に記載のＧＥ−ＰＯＮシステム。
【請求項１０】
前記登録管理用テーブル管理部は、
前記登録管理用テーブルを送信した後所定時間経過しても前記登録要求信号を返送しない前記加入者端末装置の前記識別番号を前記登録管理用テーブルから削除する
ことを特徴とする請求項７乃至９のいずれか１項に記載のＧＥ−ＰＯＮシステム。
【請求項１１】
前記加入者側端末装置は、
前記加入者側端末装置側記憶部に保存された前記識別スロット情報を削除するためのリセットスイッチをさらに備える
ことを特徴とする請求項１または２に記載のＧＥ−ＰＯＮシステム。
【発明の詳細な説明】
【技術分野】
【０００１】
本発明は、ＧＥ−ＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）システムに関し、特に加入者側端末装置の復旧時間を短縮することが可能なＧＥ−ＰＯＮシステムに関するものである。
【背景技術】
【０００２】
図８に示すようなＳｔａｒ型もしくはＰＤＳ（Ｐａｓｓｉｖｅ  Ｄｏｕｂｌｅ  Ｓｔａｒ）型のトポロジーを持つアクセス通信網として、ＧＥ−ＰＯＮシステムが知られている（例えば、特許文献１、２）。ＧＥ−ＰＯＮシステムは、１つの局舎側装置（ＯＬＴ：Ｏｐｔｉｃａｌ  Ｌｉｎｅ  Ｔｅｒｍｉｎａｌ）９１に、加入者側に設置される加入者側端末装置（ＯＮＵ：Ｏｐｔｉｃａｌ  Ｎｅｔｗｏｒｋ  Ｕｎｉｔ）９２（９２（１）、９２（２）、・・・、９２（ｎ））がスプリッタ９３を介して複数接続された構成を有している。このようなＧＥ−ＰＯＮシステムは、例えばＦＴＴＨや、ＣＡＴＶ、自動検針向け通信網等に適用されている。
【０００３】
図８に示すＧＥ−ＰＯＮシステムでは、ＯＬＴ９１から時分割多重化（ＴＤＭ：Ｔｉｍｅ  Ｄｉｖｉｓｉｏｎ  Ｍｕｌｔｉｐｌｅｘｉｎｇ）されたデータがすべてのＯＮＵ９２に送信される。各ＯＮＵ９２は、受信したデータから自分宛ての情報のみを抽出し、それ以外のデータは破棄する。一方、ＯＮＵ９２側からＯＬＴ９１にデータを送信するときは、時分割多元接続（ＴＤＭＡ：Ｔｉｍｅ  Ｄｉｖｉｓｉｏｎ  Ｍｕｌｔｉｐｌｅ  Ａｃｃｅｓｓ）により、ＯＬＴ９１から割り振られたタイムスロットと帯域を使用してデータを送信する。これにより、データ間の衝突（Ｃｏｌｌｉｓｉｏｎ）を防止している。ＧＥ−ＰＯＮシステムでは、ＯＬＴ９１とＯＮＵ９２との間のデータのやり取りは１：１で行われるため、データ伝送遅延を少なくすることが可能である。
【０００４】
ＧＥ−ＰＯＮシステムにおいて、ＯＬＴ９１と新規に設置されたＯＮＵ９２との間でデータ通信を行えるようにするには、新規ＯＮＵ９２に対してＰＯＮリンクを確立させて認証登録する必要がある。ＰＯＮリンクを確立させるために、ＩＥＥＥ  Ｓｔｄ  ８０２．３ａｈ−２００４（Ｅｔｈｅｒｎｅｔ（登録商標））にて標準化されているＭＰＣＰ（Ｍｕｌｔｉ−Ｐｏｉｎｔ  Ｃｏｎｔｒｏｌ  Ｐｒｏｔｏｃｏｌ）処理が行われる。
【０００５】
ＭＰＣＰ処理の概要を、図９を用いて以下に説明する、図９は、ＯＬＴ９１とＯＮＵ９２との間でＰＯＮリンクを確立させるために行われるＭＰＣＰ処理の手順を示しており、図面上から下の方向に時間が進むものとしている。同図において、ＯＮＵ９２の起動後、まずＯＬＴ９１がＯＮＵ９２に向かって送信タイミングを通知するためのＧＡＴＥ信号５１を送信する。ＧＡＴＥ信号５１を受け取ったＯＮＵ９２は、自身で算出したランダム遅延時間後に登録要求信号５２をＯＬＴ９１に返送する。ＯＬＴ９１は、ＯＮＵ９２からの信号を受信する時間帯としてディスカバリ窓１０を設けており、登録要求信号５２がディスカバリ窓１０の時間帯内にＯＬＴ９１に到達したＯＮＵ９２が、ＯＬＴ９１によって検出される。
【０００６】
ＯＬＴ９１は、受信した登録要求信号５２の送信元であるＯＮＵ９２に対して、論理リンク識別子（Ｌｏｇｉｃａｌ  Ｌｉｎｋ  ＩＤ、以下ではＬＬＩＤと記す。）を設定する。そして、設定したＬＬＩＤを当該のＯＮＵ９２に通知するために、登録信号５３をＯＮＵ９２に送信する。ＯＮＵ９２は、ＬＬＩＤの情報が書き込まれた登録信号５３をＯＬＴ９１から受信し、その後ＯＬＴ９１から帯域と送信タイミングを通知するＧＡＴＥ信号５１’を受信すると、登録信号５３の受信に対する応答信号として登録ＡＣＫ信号５４をＯＬＴ９１に送信する。これにより、ＯＮＵ９２の認証登録が完了してＰＯＮリンクが確立され、ＯＬＴ９１とＯＮＵ９２との間でデータ疎通が可能となる。１つのＯＬＴ９１には通常複数のＯＮＵ９２が接続されていることから、上記のＭＰＣＰ処理がＯＮＵ９２毎に行われる。
【０００７】
ＩＥＥＥ  Ｓｔｄ  ８０２．３に準拠した上記従来のＧＥ−ＰＯＮシステムでは、ディスカバリ窓１０の時間帯内に登録要求信号５２がＯＬＴ９１に到達したＯＮＵ９２のみがＯＬＴ９１に認証登録される。そのため、ディスカバリ窓１０の時間帯内に登録要求信号５２が到達しなかったＯＮＵ９２は、ＯＬＴ９１に認証登録されるまで上記のＭＰＣＰ処理を繰り返す必要がある。
【０００８】
各ＯＮＵ９２は、他のＯＮＵ９２からの信号と衝突するのを避けるために、内部でランダム遅延時間を算出して送信タイミングを他のＯＮＵ９２とずらすようにしているが、ランダム遅延時間がＯＮＵ９２毎に個々に算出されるために、送信タイミングが他のＯＮＵ９２と必ず異なっているとは限らない。そのため、他のＯＮＵ９２から送信された信号と衝突する可能性がある。また上記のランダム遅延時間は、ディスカバリ窓１０の時間帯内に信号がＯＬＴ９１に到達するように決定されるが、ＯＬＴ９１までの物理的な距離のためにディスカバリ窓１０の時間帯内に信号がＯＬＴ９１に到達できなくなる、といったおそれもある。
【０００９】
上記のような理由により、とくに複数のＯＮＵ９２が一度に登録要求を行うＧＥ−ＰＯＮシステムの起動時には、登録要求信号５２がディスカバリ窓１０の時間帯内にＯＬＴ９１に到達しないＯＮＵ９２が存在することになり、すべてのＯＮＵ９２が認証登録されるまでに時間がかかることになる。
【先行技術文献】
【特許文献】
【００１０】
【特許文献１】特開２０１１−１３０２５０号公報
【特許文献２】特開２０１１−１３０２５１号公報
【発明の概要】
【発明が解決しようとする課題】
【００１１】
しかしながら、従来のＧＥ−ＰＯＮシステムでは、起動時だけでなく障害等によってＯＬＴとＯＮＵとの間のデータ疎通が完全に停止されたときにも、障害の要因が解消されたのちすべてのＯＮＵのデータ疎通が可能な状態になるまでに時間がかかる、といった問題があった。障害の要因として、例えば停電等によってＯＮＵの電源が落ちたり、あるいはＰＯＮ区間線に何らかの障害（例えば光コネクタが抜ける等）が発生してデータ疎通が不可になる、等が考えられる。ＧＥ−ＰＯＮシステムを復旧させる従来の方法では、図１０に例示するように、すべてのＯＮＵ９２を再度認証登録するために、障害等除去後の最初のＧＡＴＥ信号５１に対してすべてのＯＮＵ９２が登録要求信号５２をＯＬＴ９１に送信する。その際、例えば図１０に示すＯＮＵ９２（３）とＯＮＵ９２（ｎ）からの登録要求信号５２のように衝突が発生したり、ＯＮＵ９２（４）からの登録要求信号５２のようにディスカバリ窓の時間帯にＯＬＴ９１に到達しない、といったことが生じる。そのため、すべてのＯＮＵの通信を復旧させるまでに時間がかかっていた。
【００１２】
上記のようなすべてのＯＮＵの認証登録に要する時間を短縮するために、例えばＭＰＣＰ処理を行う周期を短くしてＯＮＵが登録される確率を高くする、といった方法が提案されている。しかしながら、ＭＰＣＰ処理の周期を短くするとＭＰＣＰ処理に割り当てられた時間の割合が増加することになり、本来のデータ通信を行う時間が短縮されてしまう、といった問題が生じる。
【００１３】
また、特許文献１、２でも復旧に要する時間を短縮する方法が提案されているが、いずれも復旧時に従来と同様のディスカバリ処理を行う必要がある。そのため、衝突等の問題を解消することができず、ディスカバリ処理を繰り返す必要が生じる。そのため、すべてのＯＮＵを認証登録するまでに時間がかかる、といった問題がある。
【００１４】
本発明はこれらの問題を解決するためになされたものであり、認証登録済みの加入者側端末装置に対して通信切断後の復旧処理を短時間で行うことが可能なＧＥ−ＰＯＮシステムを提供することを目的とする。
【課題を解決するための手段】
【００１５】
本発明のＧＥ−ＰＯＮシステムの第１の態様は、局舎側装置と複数の加入者側端末装置とが分岐部を介して光ファイバで接続されたＧＥ−ＰＯＮシステムであって、前記局舎側装置は、所定個数の識別スロットに区分けされた量子化窓とフリーディスカバリ窓とを有して前記加入者側端末装置を認証登録するのに用いるディスカバリ窓を管理するディスカバリ窓管理部と、前記加入者側端末装置を認証登録するためのＭＰＣＰ処理を行って前記加入者側端末装置の識別番号を設定するＭＰＣＰ処理部と、前記ＭＰＣＰ処理によって認証登録された前記加入者側端末装置に前記識別スロットのいずれか１つを割り付け、前記識別スロットのスロット番号に少なくとも前記識別番号を対応付けした識別スロット情報を作成するスロット情報設定部と、復旧後に前記識別スロットに登録要求信号が返送されているかを確認し、前記登録要求信号が返送されている前記識別スロットに対応する前記加入者側端末装置を再び認証登録する加入者側端末装置復旧部と、前記識別スロット情報を記憶する局舎側装置側記憶部と、を備え、前記加入者側端末装置は、前記ＭＰＣＰ処理部との間で前記ＭＰＣＰ処理を行って前記ＭＰＣＰ処理部から前記識別番号を受信するリンク処理部と、加入者側端末装置側記憶部と、前記局舎側装置から送信されたＯＡＭフレームから前記スロット情報を読み出して前記加入者側端末装置側記憶部に記憶させるＯＡＭ処理部と、復旧処理を行うときに前記加入者側端末装置側記憶部から前記識別スロット情報を読み出して前記リンク処理部に復旧時遅延時間を出力する復旧処理部と、を備え、前記局舎側装置が新規に前記加入者側端末装置を認証登録するときは、前記ＭＰＣＰ処理部がＧＡＴＥ信号を送信して前記新規の加入者側端末装置の前記リンク処理部から前記フリーディスカバリ窓に返送された登録要求信号をもとにＭＰＣＰ処理を行って前記識別番号を付与し、前記スロット情報設定部が別の前記加入者側端末装置に割り付けられていない前記識別スロットを前記新規の加入者側端末装置に割り付けて前記識別スロット情報を前記局舎側装置側記憶部に保存するとともに前記ＯＡＭフレームに前記スロット情報を設定して前記新規の加入者側端末装置に送信し、前記ＧＥ−ＰＯＮシステムの復旧処理を行うときは、前記復旧処理部が復旧処理中に前記ＭＰＣＰ処理部から最初に送信される前記ＧＡＴＥ信号を受信すると前記リンク処理部に前記復旧時遅延時間を出力し、前記リンク処理部が前記復旧時遅延時間に従って前記識別スロットに前記登録要求信号を返送し、前記加入者側端末装置復旧部が前記識別スロットに前記登録要求信号を返送した前記加入者側端末装置に対して前記識別スロット情報を用いて再び認証登録することを特徴とする。
【００１６】
本発明のＧＥ−ＰＯＮシステムの他の態様は、前記ＭＰＣＰ処理部は、前記加入者側端末装置に複数の識別番号を設定し、前記スロット情報設定部は、前記識別番号毎に前記識別スロットのスロット番号を対応付けることを特徴とする。
【００１７】
本発明のＧＥ−ＰＯＮシステムの他の態様は、前記スロット情報設定部は、前記復旧時遅延時間を前記加入者側端末装置までの距離情報を用いて算出し、算出した前記復旧時遅延時間を前記識別スロット情報に含めていることを特徴とする。
【００１８】
本発明のＧＥ−ＰＯＮシステムの他の態様は、前記最初のＧＡＴＥ信号を受信した前記加入者側端末装置が前記識別スロット情報を保存していないとき、前記リンク処理部は、前記登録要求信号を前記フリーディスカバリ窓に返送することを特徴とする。
【００１９】
本発明のＧＥ−ＰＯＮシステムの他の態様は、前記スロット番号は前記量子化窓の先頭の前記識別スロットから順に付されており、前記スロット情報設定部は、前記加入者側端末装置までの距離が短い順に前記識別スロットを割り付けることを特徴とする。
【００２０】
本発明のＧＥ−ＰＯＮシステムの他の態様は、前記ディスカバリ窓管理部は、前記局舎側装置に接続可能な最大数の前記加入者側端末装置が認証登録されてそれぞれに前記識別スロットが割り付けられると、前記フリーディスカバリ窓を削除することを特徴とする。
【００２１】
本発明のＧＥ−ＰＯＮシステムの他の態様は、前記局舎側装置は、認証登録したすべての前記加入者側端末装置の少なくとも前記識別番号を記載した登録管理用テーブルを作成し、所定の条件が成立するときに前記登録管理用テーブルを全ての前記加入者端末装置に送信する登録管理用テーブル管理部をさらに備え、前記加入者端末装置は、前記登録管理用テーブルを受信すると保存する前記識別番号と前記登録管理用テーブルに記載された前記識別番号とを比較し、保存する前記識別番号が前記登録管理用テーブルに記載された前記識別番号のいずれかと一致するときは前記登録要求信号を前記割り付けられた識別スロットに返送し、保存する前記識別番号が前記登録管理用テーブルのいずれの前記識別番号とも一致しないときは前記登録要求信号を前記フリーディスカバリ窓に返送する登録管理用テーブルチェック部をさらに備えることを特徴とする。
【００２２】
本発明のＧＥ−ＰＯＮシステムの他の態様は、前記所定の条件は、前記ＧＥ−ＰＯＮシステムの復旧処理を行うときであることを特徴とする。
【００２３】
本発明のＧＥ−ＰＯＮシステムの他の態様は、前記所定の条件は、所定の周期並びに前記局舎側装置に前記登録管理用テーブルの更新時に達したときであることを特徴とする。
【００２４】
本発明のＧＥ−ＰＯＮシステムの他の態様は、前記登録管理用テーブル管理部は、前記登録管理用テーブルを送信した後所定時間経過しても前記登録要求信号を返送しない前記加入者端末装置の前記識別番号を前記登録管理用テーブルから削除することを特徴とする。
【００２５】
本発明のＧＥ−ＰＯＮシステムの他の態様は、前記加入者側端末装置は、前記加入者側端末装置側記憶部に保存された前記識別スロット情報を削除するためのリセットスイッチをさらに備えることを特徴とする。
【発明の効果】
【００２６】
本発明によれば、認証登録済みの加入者側端末装置に対して通信切断後の復旧処理を短時間で行うことが可能なＧＥ−ＰＯＮシステムを提供することができる。
【図面の簡単な説明】
【００２７】
【図１】本発明の第１実施形態のＧＥ−ＰＯＮシステムが有するディスカバリ窓を用いてＯＬＴと複数のＯＮＵとの間で信号送受信を行う手順を示すプロセス説明図である。
【図２】第１実施形態のＧＥ−ＰＯＮシステムの構成を示すブロック図である。
【図３】第１実施形態のＧＥ−ＰＯＮシステムにおける認証登録後の処理を示すプロセス説明図である。
【図４】第１実施形態のＧＥ−ＰＯＮシステムの復旧方法を示す復旧時プロセス説明図である。
【図５】第１実施形態のＧＥ−ＰＯＮシステムの復旧方法を示す別の復旧時プロセス説明図である。
【図６】本発明の第２実施形態のＧＥ−ＰＯＮシステムの復旧方法を示す復旧時プロセス説明図である。
【図７】本発明の第３実施形態のＧＥ−ＰＯＮシステムの構成を示すブロック図である。
【図８】従来のＧＥ−ＰＯＮシステムの構成を示すブロック図である。
【図９】従来のＧＥ−ＰＯＮシステムにおけるＭＰＣＰ処理の手順を示すプロセス説明図である。
【図１０】従来のＧＥ−ＰＯＮシステムで複数のＯＮＵを復旧させる手順を示すプロセス説明図である。
【図１１】各ＯＮＵがＬＬＩＤを複数有するときの従来のＧＥ−ＰＯＮシステムの構成を示すブロック図である。
【図１２】各ＯＮＵがＬＬＩＤを複数有するときの第１実施形態のＧＥ−ＰＯＮシステムにおけるプロセス説明図である。
【図１３】各ＯＮＵがＬＬＩＤを複数有するときの第１実施形態のＧＥ−ＰＯＮシステムにおける復旧時プロセス説明図である。
【図１４】各ＯＮＵがＬＬＩＤを複数有するときの従来のＧＥ−ＰＯＮシステムにおける復旧時プロセス説明図である。
【発明を実施するための形態】
【００２８】
本発明の好ましい実施の形態におけるＧＥ−ＰＯＮシステムについて、図面を参照して詳細に説明する。なお、同一機能を有する各構成部については、図示及び説明簡略化のため、同一符号を付して示す。なお、以下では「復旧」の定義として従来と同様に、障害等によってＯＬＴとＯＮＵとの間のデータ疎通が完全に停止されたときにも、障害の要因が解消されたのちすべてのＯＮＵのデータ疎通が可能な状態になることをいう。
【００２９】
（第１実施形態）
本発明の第１の実施形態に係るＧＥ−ＰＯＮシステムを、図１、２を用いて説明する。図１は、本実施形態のディスカバリ窓を用いて複数のＯＮＵと信号送受信を行う手順を示すプロセス説明図である。また図２は、本実施形態のＧＥ−ＰＯＮシステム１００の構成を示すブロック図である。ＧＥ−ＰＯＮシステム１００は、加入者側に設置される複数のＯＮＵ１２０が、スプリッタ（分岐部）１３０を介して局舎側に設けられるＯＬＴ１１０に接続されて構成される。複数のＯＮＵ１２０を区別するために、ここでは一例としてＯＬＴ１１０までの距離の短い順にそれぞれ１２０（１）、１２０（２）、・・・、１２０（ｎ）と表すものとする。ここで、ｎはスプリッタ１３０に接続されたＯＮＵ１２０の台数である。
【００３０】
本実施形態のＧＥ−ＰＯＮシステム１００においても、新規にＯＮＵ１２０をＯＬＴ１１０に認証登録させるときは、ＩＥＥＥ  Ｓｔｄ  ８０２．３に準拠したＭＰＣＰ処理を行ってＰＯＮリンクを確立させる。本実施形態のＯＬＴ１１０は、ＭＰＣＰ処理部１１１、スロット情報設定部１１２、加入者側端末装置復旧部（ＯＮＵ復旧部）１１３、局舎側装置側記憶部（ＯＬＴ側記憶部）１１４、及びディスカバリ窓管理部１１５を備えている。また本実施形態のＯＮＵ１２０は、リンク処理部１２１、ＯＡＭ処理部１２２、復旧処理部１２３、及び加入者側端末装置側記憶部（ＯＮＵ側記憶部）１２４を備えている。
【００３１】
本実施形態のＧＥ−ＰＯＮシステム１００では、通信が切断された後の復旧処理を短時間で行えるようにするために、ＯＬＴ１１０のディスカバリ窓に、量子化窓とフリーディスカバリ窓を設けている。本実施形態で用いるディスカバリ窓の構成を図１に示す。同図では、図面左から右方向に時間が進むものとしており、図面縦方向の最上段にＯＬＴ１１０を配置し、その下に複数のＯＮＵ１２０を配置している。ここでは、以降の説明容易のために、ＯＬＴ１１０までの距離の短い順にＯＮＵ１２０を配置しているが、これに限定されるものではない。
【００３２】
図１では、量子化窓２０を前半部分に設けフリーディスカバリ窓３０を後半部分に設けたディスカバリ窓１０の一例が示されている。量子化窓２０及びフリーディスカバリ窓３０の配置はこれに限定されず、両者を前後逆に配置することもできる。あるいは、ディスカバリ窓１０を例えば３領域に分割し、それぞれをフリーディスカバリ窓、量子化窓、及びフリーディスカバリ窓とすることも可能である。
【００３３】
量子化窓２０は、所定の時間幅を単位（量子化）として複数の識別スロット２１に分割されている。各識別スロット２１にはスロット番号が付されており、ここでは一例として図面左から右方向の順に１、２、・・・、ｍ（ｍは識別スロット２１の個数）のスロット番号を付している。各識別スロット２１の時間幅（スロット幅）は、ＧＥ−ＰＯＮシステム１００で伝送される最小フレームを受信可能な時間幅にマージンをもたせた時間としている。一例として、最小フレーム長を６４バイトとし１ビット当たりの信号送信周期を８００ｐｓとするとき、最小フレームの信号を受信するのに要する時間は、
６４バイト×８ビット／バイト×８００ｐｓ＝０．４０９６μｓ
となる。そこで、これにマージンを加算してスロット幅を例えば１μｓとすることができるが、これに限定されるものではない。
【００３４】
量子化窓２０に設けられる識別スロット２１の所定個数ｍは、１つのＯＬＴ１１０に接続可能なＯＮＵ１２０に対応する個数である。例えば、接続可能なＯＮＵ１２０の最大台数分である。１つのＯＬＴ１１０に接続可能なＯＮＵ１２０の最大台数は、例えば３２台、６４台、１２８台等のいずれかとすることができる。この場合、識別スロット２１の個数ｍは３２、６４、１２８等のいずれかとなる。
【００３５】
フリーディスカバリ窓３０は、例えばＧＥ−ＰＯＮシステム１００に新たに追加される新規のＯＮＵ１２０を認証登録するときに用いるものである。新規のＯＮＵ１２０を認証登録するためのＭＰＣＰ処理では、送信タイミングを通知するためのＧＡＴＥ信号５１が各ＯＮＵ１２０に送信されるが、このＧＡＴＥ信号５１に応答して新規ＯＮＵ１２０が登録要求信号５２を返送するタイミングは、登録要求信号５２がフリーディスカバリ窓３０に到達するように量子化窓２０の時間長だけ遅らせた（オフセットした）タイミングとする。
【００３６】
本実施形態のＧＥ−ＰＯＮシステム１００では、ディスカバリ窓管理部１１５が上記説明のディスカバリ窓１０を管理しており、ＯＮＵ１２０からの信号の受信を制御している。また、新規ＯＮＵ１２０を認証登録するためのＭＰＣＰ処理は、ＯＬＴ１１０のＭＰＣＰ処理部１１１とＯＮＵ１２０のリンク処理部１２１との間で以下のように行われる。ここでは、ＯＮＵ１２０（１）を新規に認証登録する場合を例に、ＭＰＣＰ処理の手順を説明する。まず、ＯＬＴ１１０のＭＰＣＰ処理部１１１は、各ＯＮＵ１２０に対して送信タイミングを通知するためのＧＡＴＥ信号５１を送信する。ＯＮＵ１２０（１）のリンク処理部１２１は、上記のＧＡＴＥ信号５１を入力するとランダム遅延時間（図１に符号５６で示す。）を算出し、該ランダム遅延時間後に登録要求信号５２をＯＬＴ１１０に送信する。ランダム遅延時間は、登録要求信号５２がフリーディスカバリ窓３０に到達するように決定される。
【００３７】
ＯＬＴ１１０のＭＰＣＰ処理部１１１は、図９を用いて説明した従来の処理と同様に、ＯＮＵ１２０（１）から登録要求信号５２を受信すると、ＯＮＵ１２０（１）に対してＬＬＩＤを設定し、設定したＬＬＩＤをＯＮＵ１２０（１）に通知するために登録信号５３をＯＮＵ１２０（１）に送信する。その後ＭＰＣＰ処理部１１１は、各ＯＮＵ１２０に対して送信タイミングを通知するためのＧＡＴＥ信号５１を送信する。
【００３８】
ＯＮＵ１２０（１）のリンク処理部１２１は、ＯＬＴ１１０からＬＬＩＤを通知する登録信号５３を受信すると、ＬＬＩＤを例えばＯＮＵ側記憶部１２４に保存する。その後ＯＬＴ１１０からＧＡＴＥ信号５１を受信すると、リンク処理部１２１は登録ＡＣＫ信号５４をフリーディスカバリ窓３０に到達するようにランダム遅延時間を算出し、該ランダム遅延時間後に登録ＡＣＫ信号５４をＯＬＴ１１０に送信する。これにより、ＯＮＵ１２０（１）の認証登録が完了してＰＯＮリンクが確立される。
【００３９】
ＯＮＵ１２０（１）の認証登録が上記のようにして完了すると、本実施形態のＧＥ−ＰＯＮシステム１００では、図３に示す処理が行われる。図３は、認証登録後の処理を示すプロセス説明図である。まず、ＯＬＴ１１０のスロット情報設定部１１２が図３に示す処理６１を実行する。スロット情報設定部１１２は、ＯＮＵ１２０（１）に識別スロット２１を割り付ける処理を行う。この処理では、スロット情報設定部１１２が他のＯＮＵ１２０に割り付けられていない識別スロット２１の中から１つを選択し、これをＯＮＵ１２０（１）に割り付ける。図１では、ＯＮＵ１２０（１）にスロット番号２の識別スロット２１（図１に示す識別スロット２１（１））を割り付けた例を示している。
【００４０】
またスロット情報設定部１１２は、障害発生後の復旧時にＯＮＵ１２０（１）からＯＬＴ１１０に応答させるタイミングとして、下記説明の復旧時遅延時間を算出する。復旧時遅延時間は、ＯＮＵ１２０（１）が復旧後の最初のＧＡＴＥ信号５１を受信してから登録要求信号５２を返送するまでの遅延時間である。スロット情報設定部１１２は、ＯＮＵ１２０（１）までの距離情報をもとに、ＯＮＵ１２０（１）が復旧後の最初のＧＡＴＥ信号５１を受信して復旧時遅延時間だけ経過したときに登録要求信号５２を送信すると登録要求信号５２がＯＮＵ１２０（１）に割り付けられた識別スロット２１に到達する、となるようにＯＮＵ１２０（１）に対する復旧時遅延時間を決定する。
【００４１】
スロット情報設定部１１２は、ＯＮＵ１２０（１）に対する復旧時遅延時間を算出すると、少なくともＯＮＵ１２０（１）の識別番号と復旧時遅延時間とを、ＯＮＵ１２０（１）に割り付けられた識別スロット２１のスロット番号に対応付け、これを識別スロット情報としてＯＬＴ１１０のＯＬＴ側記憶部１１４に保存する。識別スロット情報として保存するＯＮＵ１２０（１）の識別番号として、例えばＬＬＩＤを用いることができる。
【００４２】
スロット情報設定部１１２は、次に図３に示す処理６２を実行する。処理６２では、スロット情報設定部１１２がＯＬＴ側記憶部１１４に保存した識別スロット情報をＯＡＭ（Ｏｐｅｒａｔｉｏｎｓ，  Ａｄｍｉｎｉｓｔｒａｔｉｏｎ，  Ｍａｉｎｔｅｎａｎｃｅ）フレームに書き込み、該ＯＡＭフレームをＯＮＵ１２０（１）に送信する。上記のＯＡＭフレームがＯＮＵ１２０（１）に受信されると、ＯＮＵ１２０（１）は図３に示す処理６３を実行する。処理６３では、ＯＮＵ１２０（１）のＯＡＭ処理部１２２がＯＡＭフレームに記載された識別スロット情報を読み出し、これをＯＮＵ側記憶部１２４に保存する。これにより、ＯＮＵ１２０（１）に関する識別スロット情報が、ＯＬＴ１１０とＯＮＵ１２０（１）の両方で共有されることになる。
【００４３】
上記では、ＯＮＵ１２０（１）に対する認証登録及び識別スロット情報の作成・保存について説明したが、図１に例示するように、ＯＮＵ１２０（１）以外にも新規登録のＯＮＵ１２０がある場合には（図１では、ＯＮＵ１２０（２），ＯＮＵ１２０（３）、及びＯＮＵ１２０（ｎ）も新規登録している。）、ＯＮＵ１２０（１）と並行して新規ＯＮＵ１２０の認証登録、識別スロット２１の割り付け（図１では、ＯＮＵ１２０（２），ＯＮＵ１２０（３）、ＯＮＵ１２０（ｎ）にそれぞれ識別スロット２１（２）、２１（３）、２１（ｎ）を割り付けている。）、及び識別スロット情報の作成・保存の処理が行われる。
【００４４】
本実施形態のＧＥ−ＰＯＮシステム１００では、ディスカバリ窓１０に量子化窓２０とフリーディスカバリ窓３０を設け、量子化窓２０に量子化して設けた所定個数の識別スロット２１のそれぞれに各ＯＮＵ１２０を割り付けたことにより、通信切断等の障害発生前に認証登録されていた複数のＯＮＵ１２０に対し、その復旧処理を以下のように一括して行うことが可能となる。その結果、ＧＥ−ＰＯＮシステム１００の復旧に要する時間を、従来より大幅に短縮することが可能となっている。例えば、従来の復旧処理ですべてのＯＮＵがデータ疎通可能になるのに、時間幅数百μｓ程度のディスカバリ窓を数回〜数十回用いていたが、本実施形態では１回のディスカバリ窓で全ＯＮＵを再登録することが可能となる。また、ディスカバリ窓に空き時間がある場合には、登録処理の時間をさらに短縮化することができる。ここで、本発明における「再登録」とは、一度登録されているスロット情報を使用してデータ疎通を行うことをいう。
【００４５】
ＧＥ−ＰＯＮシステム１００における通信切断後の復旧処理を、図４を用いて以下に説明する。図４は、本実施形態のＧＥ−ＰＯＮシステムの復旧方法を示す復旧時プロセス説明図である。障害が除去されて復旧が可能になると、まずＯＬＴ１１０のＭＰＣＰ処理部１１１により最初のＧＡＴＥ信号５１が各ＯＮＵ１２０に送信される。
【００４６】
障害発生前に認証登録されていたＯＮＵ１２０では、ＧＡＴＥ信号５１を受信すると復旧処理部１２３がＯＮＵ側記憶部１２４から識別スロット情報を読み出し、識別スロット情報に含まれる復旧時遅延時間（一例として、ＯＮＵ１２０（１）の復旧時遅延時間を図４に符号５７で示す。）をリンク処理部１２１に出力する。リンク処理部１２１は、復旧処理部１２３から入力した復旧時遅延時間だけ遅延させて登録要求信号５２をＯＬＴ１１０に返送する。これにより、各ＯＮＵ１２０から送信された登録要求信号５２は、各ＯＮＵ１２０に割り付けられた量子化窓２０のそれぞれの識別スロット２１に到達する。
【００４７】
量子化窓２０の各識別スロット２１への登録要求信号５２の返送が終了すると、ＯＬＴ１１０のＯＮＵ復旧部１１３は、復旧後の最初のＧＡＴＥ信号５１に対して量子化窓２０のそれぞれの識別スロット２１に登録要求信号５２が返送されているかを確認する。そして、登録要求信号５２が返送されている識別スロット２１に対応するＯＮＵ１２０に対して、それぞれの識別スロット情報を用いて再び認証登録する。これにより、認証登録されたＯＮＵ１２０は、再びＰＯＮリンクが確立されてデータ疎通を再開する。
【００４８】
上記説明のように本実施形態のＧＥ−ＰＯＮシステム１００の復旧方法では、障害発生前に認証登録されていたＯＮＵ１２０に対して、復旧後の最初のＧＡＴＥ信号５１を受信するとそれぞれに割り付けられた識別スロット２１に登録要求信号５２を返送させるように構成しており、２以上のＯＮＵ１２０からの登録要求信号５２が衝突するおそれがない。これにより、ＯＬＴ１１０のＯＮＵ復旧部１１３は、復旧可能なＯＮＵ１２０を一度にまとめて検出してデータ疎通を再開させることができる。その結果、復旧可能なＯＮＵ１２０に対するＭＰＣＰ処理を省略して復旧処理時間を従来より大幅に短縮することが可能となる。
【００４９】
一方、復旧時に新規に登録されるＯＮＵ１２０（図４に示す一例ではＯＮＵ１２０（ｉ）がこれに相当する。）に対しては、フリーディスカバリ窓３０を用いてＯＬＴ１１０のＭＰＣＰ処理部１１１とＯＮＵ１２０（ｉ）のリンク処理部１２１との間で通常のＭＰＣＰ処理が行われる。すなわち、復旧後の最初のＧＡＴＥ信号５１に対して、ＯＮＵ１２０（ｉ）のリンク処理部１２１は、フリーディスカバリ窓３０に到達するように決定されたランダム遅延時間後に登録要求信号５２をＯＬＴ１１０に送信する。以下、上記説明のＭＰＣＰ処理を行うことでＯＬＴ１１０とＯＮＵ１２０（ｉ）との間のＰＯＮリンクが確立され、ＯＮＵ１２０（ｉ）に未使用の識別スロット２１が割り付けられる。さらに、スロット情報設定部１１２によりＯＮＵ１２０（ｉ）に関する識別スロット情報が作成され、この識別スロット情報がＯＮＵ１２０（ｉ）に送信されてＯＬＴ１１０と共有される。
【００５０】
新規のＯＮＵ１２０（ｉ）のＭＰＣＰ処理は、登録済みのＯＮＵ１２０の復旧処理に用いられる量子化窓２０と区分けされたフリーディスカバリ窓３０を用いて行われることから、新規のＯＮＵ１２０（ｉ）からの信号が登録済みのＯＮＵ１２０からの信号と衝突するおそれがなく、新規のＯＮＵ１２０（ｉ）の認証登録を短時間に完了させることができる。
【００５１】
なお、認証登録されたＯＮＵ１２０の台数がＯＬＴ１１０に接続可能なＯＮＵ１２０の最大台数に達したときは、新規のＯＮＵ１２０をさらに認証登録することはない。そのため、フリーディスカバリ窓３０を使用する必要がなくなる。そこで、認証登録されたＯＮＵ１２０の台数が最大台数に達したときは、フリーディスカバリ窓３０を削除してディスカバリ窓１０の時間幅を短くすることができ、これにより、復旧処理時間をさらに短くすることが可能となる。
【００５２】
また、図４に例示したディスカバリ窓１０では、ＯＮＵ１２０を割り付ける識別スロット２１を、間隔を空けて（間に未使用の識別スロット２１を残して）選択している。これに対し、図５に示すように、スロット番号の小さい方から順にＯＮＵ１２０を割り付けるようにすることもできる。とくに、距離が著しく短いＯＮＵ１２０をできるだけスロット番号の小さい識別スロット２１に割り付け、距離が著しく遠いＯＮＵ１２０をスロット番号の大きい識別スロット２１に割り付けるのがよい。これにより、距離の短いＯＮＵ１２０から順にスロット番号の小さい識別スロット２１に登録要求信号５２を返送するように遅延時間を短くすることができる。その結果、対象となるすべてのＯＮＵ１２０から登録要求信号５２が返送されるまでの時間を短くすることができ、ＧＥ−ＰＯＮシステム１００の復旧を早期に完了させることができる。
【００５３】
なお上記では、各ＯＮＵにＬＬＩＤが１つだけ設定されている場合について説明したが、各ＯＮＵに設定されるＬＬＩＤは１つに限定されず、例えば図１１に例示するように、各ＯＮＵに２以上のＬＬＩＤ（以下では、マルチＬＬＩＤという。）が設定されていてもよい。この場合の本実施形態のプロセス説明図を図１２、１３に例示する。図１２は、図１に示したプロセス説明図に対応するものであり、図１３は、図４に示した復旧時プロセス説明図に対応するものである。また、図１０に示した従来の復旧時プロセス説明図に対応するものを図１４に示す。
【００５４】
（第２実施形態）
本発明の第２の実施形態に係るＧＥ−ＰＯＮシステムを、図６を用いて説明する。図６は、本実施形態のＧＥ−ＰＯＮシステムの復旧方法を説明するための復旧時起動プロセス図である。本実施形態の復旧方法では、復旧後の最初のＧＡＴＥ信号５１がＯＬＴ１１０から送信される前に、ＯＬＴ１１０に設けられた登録管理用テーブル管理部がブロードキャストですべてのＯＮＵ１２０に登録管理用テーブルを送信する。登録管理用テーブル管理部で作成される登録管理用テーブルは、認証登録されたＯＮＵ１２０の少なくとも識別番号を有している。識別番号として、例えばＬＬＩＤあるいはＭＡＣアドレスを用いることができる。
【００５５】
各ＯＮＵ１２０には登録管理用テーブルチェック部が設けられており、登録管理用テーブルチェック部は登録管理用テーブルを受信すると自身の識別番号が登録管理用テーブルに含まれているか否かを判定する。自身の識別番号が登録管理用テーブルに含まれている場合には、当該ＯＮＵ１２０が登録済みであると判定する。登録済みと判定したＯＮＵ１２０の登録管理用テーブルチェック部は、復旧後の最初のＧＡＴＥ信号５１をＯＬＴ１１０から受信したときに、ＯＮＵ側記憶部１２４から読み出した復旧時遅延時間だけ遅延させて登録要求信号５２を返送する。これにより、登録要求信号５２は当該のＯＮＵ１２０に割り付けられた識別スロット２１に返送される。登録済みと判定されたＯＮＵ１２０から返送される登録要求信号５２は、それぞれの識別スロット２１に送信するように復旧時遅延時間が設定されていることから、別の登録要求信号５２と衝突することはなく、復旧処理を高速に行うことができる。
【００５６】
なお、各ＯＮＵ１２０が登録済みか否かを判定するのに用いる上記の登録管理用テーブルに、ＯＬＴ１１０のＯＬＴ側記憶部１１４に保存されているすべてのＯＮＵ１２０の識別スロット情報を登録情報として持たせ、各ＯＮＵ１２０の登録管理用テーブルチェック部は、自身のＯＮＵ側記憶部１２４に保存されている識別スロット情報と比較することで登録されているか否かを判断させるようにしてもよい。
【００５７】
一方、ＯＮＵ１２０の識別番号が登録管理用テーブルに含まれていないと判定した場合には、当該ＯＮＵ１２０の登録管理用テーブルチェック部は新規に認証登録が必要と判断し、フリーディスカバリ窓３０に登録要求信号５２を返送する。これにより、ＯＬＴ１１０によるＭＰＣＰ処理が行われ、ＭＰＣＰ処理の完了後に識別スロット２１の割り付けと識別スロット情報の作成・保存の処理が行われる。新規のＯＮＵ１２０のＭＰＣＰ処理は、登録済みのＯＮＵ１２０の復旧処理に用いられる量子化窓２０と区分けされたフリーディスカバリ窓３０を用いて行われることから、新規のＯＮＵ１２０からの信号が登録済みのＯＮＵ１２０からの信号と衝突するおそれがなく、新規のＯＮＵ１２０の認証登録を短時間に完了させることができる。
【００５８】
本実施形態のＧＥ−ＰＯＮシステムでは、復旧時に登録管理用テーブルを用いて認証登録済みのＯＮＵ１２０か、あるいは新規に認証登録が必要なＯＮＵ１２０かを判定することを上記で説明したが、ＧＥ−ＰＯＮシステムの復旧時に限らず、認証登録の処理を行うときはすべてのＯＮＵ１２０に対して登録管理用テーブルを送信し、各ＯＮＵ１２０が登録済みか否かを確認するようにしてもよい。あるいは、所定の周期（例えばＭＡＣアドレス学習テーブルのエージングタイムである３００ｓの周期）でＯＬＴ１１０からすべてのＯＮＵ１２０に登録管理用テーブルを送信して登録済みＯＮＵ１２０の確認を定期的に行わせるようにしてもよい。
【００５９】
さらに、各ＯＮＵ１２０に登録管理用テーブルを送信して上記の判定を行わせたとき、割り付けられた識別スロット２１に登録要求信号が返送されないＯＮＵ１２０がある場合、あるいは一定期間（例えば数百秒オーダーの期間）応答の無いＯＮＵ１２０がある場合には、登録管理用テーブルから当該のＯＮＵ１２０の識別情報を削除するとともに、該ＯＮＵ１２０に割り付けた識別スロット２１を未使用に初期化する。登録管理用テーブルから識別情報が削除されＯＮＵ１２０は、新規に認証登録の処理を行うことになる。
【００６０】
上記のように、登録管理用テーブルを用いて各ＯＮＵ１２０に認証登録済みか否かを判定させるようにすることで、ＯＬＴ１１０が保存する最新の認証登録情報（全ＯＮＵ１２０の識別情報）と各ＯＮＵ１２０が保存する識別情報とを一致させることができる。
【００６１】
（第３実施形態）
本発明の第３の実施形態に係るＧＥ−ＰＯＮシステムを、図７を用いて説明する。図７は、本実施形態のＧＥ−ＰＯＮシステム３００の構成を示すブロック図である。本実施形態のＧＥ−ＰＯＮシステム３００では、ＯＮＵ３２０のＯＮＵ側記憶部３２４に保存されている識別スロット情報を削除（リセット）するためのリセットスイッチ３０１がＯＮＵ３２０に設けられている。
【００６２】
運用中のＧＥ−ＰＯＮシステムに、別のＧＥ−ＰＯＮシステムに接続されていたＯＮＵが移設されることがある。別のＧＥ−ＰＯＮシステムに接続されていたＯＮＵは、電源断の状態でも別のシステムで設定された識別番号や識別スロット情報をＯＮＵ側記憶部に保存している。そのため、移設先のＧＥ−ＰＯＮシステムに接続したとき、ＯＮＵ側記憶部に保存されている識別番号や識別スロット情報がそのまま使用されてしまうおそれがある。とくに、識別スロット情報に書き込まれている識別スロットのスロット番号が、移設先のＧＥ−ＰＯＮシステムの別のＯＮＵにすでに割り付けられていると、このＯＮＵとの間で衝突が発生するといった問題が生じる。
【００６３】
上記の問題を解決するには、移設するＯＮＵに保存されている識別番号や識別スロット情報をクリアすることで、新規のＯＮＵと同様に新規登録のためのＭＰＣＰ処理等を行えるようにする必要がある。そこで、本実施形態のＧＥ−ＰＯＮシステム３００では、ＯＮＵ３２０にリセットスイッチ３０１を設けている。ＯＮＵ３２０を別のＧＥ−ＰＯＮシステム３００に移設するときは、リセットスイッチ３０１を用いてＯＮＵ側記憶部３２４に記憶されている識別番号および識別スロット情報をクリアする。これにより、移設されたＯＮＵ３２０は、移設先のＧＥ−ＰＯＮシステム３００で新規登録されることになり、他のＯＮＵ３２０と衝突しない識別スロット２１が割り付けられる。リセットスイッチ３０１は、ＯＮＵ３２０に障害が発生してＯＬＴ３１０からコントロールできなくなった場合にも有用である。
【００６４】
なお、本実施の形態における記述は、本発明に係るＧＥ−ＰＯＮシステムの一例を示すものであり、これに限定されるものではない。本実施の形態におけるＧＥ−ＰＯＮシステムの細部構成及び詳細な動作等に関しては、本発明の趣旨を逸脱しない範囲で適宜変更可能である。
【符号の説明】
【００６５】
１０      ディスカバリ窓
２０      量子化窓
２１      識別スロット
３０      フリーディスカバリ窓
１００、３００    ＧＥ−ＰＯＮシステム
１１０    局舎側装置（ＯＬＴ）
１１１    ＭＰＣＰ処理部
１１２    スロット情報設定部
１１３    ＯＮＵ復旧部
１１４    ＯＬＴ側記憶部
１２０    加入者側端末装置（ＯＮＵ）
１２１    リンク処理部
１２２    ＯＡＭ処理部
１２３    復旧処理部
１２４    ＯＮＵ側記憶部
１３０    スプリッタ
３０１    リセットスイッチ
【図１】
2016046704.tif 000003
【図２】
2016046704.tif 000004
【図３】
2016046704.tif 000005
【図４】
2016046704.tif 000006
【図５】
2016046704.tif 000007
【図６】
2016046704.tif 000008
【図７】
2016046704.tif 000009
【図８】
2016046704.tif 000010
【図９】
2016046704.tif 000011
【図１０】
2016046704.tif 000012
【図１１】
2016046704.tif 000013
【図１２】
2016046704.tif 000014
【図１３】
2016046704.tif 000015
【図１４】
2016046704.tif 000016